(57)【特許請求の範囲】
【請求項１】
整流回路と、駆動回路と、分流回路とを備え、
前記整流回路は、第１出力端子と第２出力端子を有し、交流電圧を整流した脈流電圧を、前記第１出力端子及び前記第２出力端子から出力するように構成され、
前記駆動回路は、前記脈流電圧の１周期内において、前記脈流電圧の電圧値に応じて、前記第１出力端子から出力される出力電流を前記分流回路に供給する第１期間と、前記出力電流を第１固体光源部に供給する第２期間と、前記出力電流を前記第１固体光源部を含む複数の固体光源部に供給する第３期間と、前記第２期間と、前記第１期間とを順に切り換えるように構成され、
前記駆動回路と前記第１固体光源部が前記第１出力端子と前記第２出力端子に電気的に直列接続されており、
前記分流回路は、前記第１固体光源部と電気的に並列接続されており、前記第１期間に流す前記出力電流の電流値を、前記脈流電圧の電圧値に比例した電流値とするように構成されていることを特徴とする点灯装置。
【請求項２】
前記複数の固体光源部に一対一に対応する複数のキャパシタを備え、前記複数のキャパシタのそれぞれは、前記複数の固体光源部のうち、対応する固体光源部と電気的に並列接続されていることを特徴とする請求項１記載の点灯装置。
【請求項３】
前記分流回路は、前記第１期間に流す前記出力電流の前記電流値を所定の上限値以下に制限するように構成されていることを特徴とする請求項１又は２記載の点灯装置。
【請求項４】
請求項１〜３のいずれか１項に記載の点灯装置と、前記点灯装置を保持する本体とを備えたことを特徴とする照明器具。
【発明の詳細な説明】
【技術分野】
【０００１】
本発明は、点灯装置及び照明器具に関し、より詳細には、交流電源から供給される交流電圧を直流電圧に変換せずに固体光源に供給して点灯させる点灯装置及び当該点灯装置を備えた照明器具に関する。
【背景技術】
【０００２】
従来、交流電源から供給される交流電圧を直流電圧に変換せずに固体光源に供給して点灯させる点灯装置が提供されている（例えば、特許文献１記載のＬＥＤ駆動回路を参照）。特許文献１記載の点灯装置（ＬＥＤ駆動回路）は、ダイオードブリッジからなる全波整流回路、第１のバイパス回路、第１のＬＥＤ列、第２のバイパス回路、第２のＬＥＤ列、定電流回路などを備えている。第１及び第２のＬＥＤ列はそれぞれ、複数のＬＥＤの直列回路で構成されている。
【０００３】
第１のバイパス回路の一対の入力端子が、全波整流回路の一対の脈流出力端子と一対一に電気的に接続されている。第１のＬＥＤ列の正極（アノード）が、第１のバイパス回路の高電位側の出力端子と電気的に接続されている。第１のＬＥＤ列の負極（カソード）が、第２のバイパス回路の高電位側の入力端子と電気的に接続されている。第１のバイパス回路の低電位側の出力端子が第２のバイパス回路の低電位側の入力端子と電気的に接続されている。第２のＬＥＤ列の正極（アノード）が、第２のバイパス回路の高電位側の出力端子と電気的に接続されている。第２のＬＥＤ列の負極（カソード）が、定電流回路の入力端子と電気的に接続されている。第２のバイパス回路の低電位側の出力端子が定電流回路の出力端子と電気的に接続されている。なお、第１及び第２のバイパス回路は、トランジスタや抵抗などで構成されている。
【０００４】
特許文献１記載の点灯装置は、第１のＬＥＤ列に電流が流れない期間に、第１のバイパス回路が第１のバイパス電流を流すことにより、入力電流に生じる、比較的に低次の高調波歪みを低減するように構成されている。
【先行技術文献】
【特許文献】
【０００５】
【特許文献１】特開２０１３−５５１６８号公報
【発明の概要】
【発明が解決しようとする課題】
【０００６】
ところで、特許文献１記載の従来例における第１のバイパス回路は、一対の入力端子が全波整流回路の一対の脈流出力端子と一対一で電気的に接続されている。そのため、第１のバイパス回路を構成するトランジスタとして、脈流電圧のピーク電圧よりも高い耐電圧を有するトランジスタが必要となるので、製造コストの上昇を招いてしまう。
【０００７】
本発明の目的は、入力電流の高調波歪みを低減しつつ製造コストの上昇を抑えることができる点灯装置及び照明器具を提供することである。
【課題を解決するための手段】
【０００８】
本発明の一態様に係る点灯装置は、整流回路と、駆動回路と、分流回路とを備えている。前記整流回路は、第１出力端子と第２出力端子を有し、交流電圧を整流した脈流電圧を、前記第１出力端子及び前記第２出力端子から出力するように構成されている。前記駆動回路は、前記脈流電圧の１周期内において、第１期間と、第２期間と、第３期間と、前記第２期間と、前記第１期間とを順に切り換えるように構成されている。前記第１期間は、前記脈流電圧の電圧値に応じて、前記第１出力端子から出力される出力電流を前記分流回路に供給する期間である。前記第２期間は、前記出力電流を第１固体光源部に供給する期間である。前記第３期間は、前記出力電流を前記第１固体光源部を含む複数の固体光源部に供給する期間である。前記駆動回路と前記第１固体光源部が前記第１出力端子と前記第２出力端子に電気的に直列接続されている。前記分流回路は、前記第１固体光源部と電気的に並列接続されている。前記分流回路は、前記第１期間に流す前記出力電流の電流値を、前記脈流電圧の電圧値に比例した電流値とするように構成されている。
【０００９】
本発明の一態様に係る照明器具は、前記点灯装置と、前記点灯装置を保持する本体とを備えている。
【発明の効果】
【００１０】
本発明の点灯装置及び照明器具は、入力電流の高調波歪みを低減しつつ製造コストの上昇を抑えることができるという効果がある。
【図面の簡単な説明】
【００１１】
【図１】図１は、本発明の実施形態１に係る点灯装置のブロック図である。
【図２】図２は、同上の点灯装置において整流回路から出力される脈流電圧と電流の波形図である。
【図３】図３Ａは、同上の点灯装置において第１モードで電流が流れる経路を説明する回路図である。図３Ｂは、同上の点灯装置において第２モードで電流が流れる経路を説明する回路図である。図３Ｃは、同上の点灯装置において第３モードで電流が流れる経路を説明する回路図である。図３Ｄは、同上の点灯装置において第４モードで電流が流れる経路を説明する回路図である。
【図４】図４は、同上の点灯装置の回路図である。
【図５】図５は、同上の点灯装置の動作を説明する波形図である。
【図６】図６は、同上の点灯装置における分流回路の動作を説明する波形図である。
【図７】図７は、同上の点灯装置における分流回路の別の回路構成を示す回路図である。
【図８】図８は、本発明の実施形態２に係る点灯装置の回路図である。
【図９】図９は、同上の点灯装置の変形例の回路図である。
【図１０】図１０Ａは、本発明の実施形態３に係る照明器具の斜視図である。図１０Ｂは、同上の照明器具の変形例１の斜視図である。図１０Ｃは、同上の照明器具の変形例２の斜視図である。
【発明を実施するための形態】
【００１２】
以下、本発明の実施形態に係る点灯装置、並びに本発明の実施形態に係る照明器具を説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
（実施形態１）
実施形態１に係る点灯装置１Ｘ（以下、点灯装置１Ｘと略す）は、図１に示すように、整流回路１１と、駆動回路１２と、分流回路１３とを備えている。整流回路１１は、第１入力端子１１１及び第２入力端子１１２と、第１出力端子１１３及び第２出力端子１１４とを有している。第１入力端子１１１は、交流電源４の一端（例えば、ホット側）と電気的に接続される。第２入力端子１１２は、交流電源４の他端（例えば、アース側）と電気的に接続される。第１出力端子１１３は、第１固体光源部２１の正極と電気的に接続される。第２出力端子１１４は、駆動回路１２の出力端と電気的に接続される。整流回路１１は、例えば、ダイオードブリッジである。整流回路１１は、第１入力端子１１１及び第２入力端子１１２に入力される交流電圧Ｖ１を脈流電圧Ｖ２に全波整流し、第１出力端子１１３及び第２出力端子１１４から脈流電圧Ｖ２を出力する。ただし、「入力端子」及び「出力端子」は、電線などが電気的かつ機械的に接続される部品（ねじ端子など）でもよいが、例えば電子部品のリードや、回路基板に配線として形成された導電体の一部でもよい。
【００１４】
第１固体光源部２１、第２固体光源部２２及び第３固体光源部２３は、いずれも複数個の固体光源の直列回路で構成されることが好ましい。また、第１固体光源部２１は、第１キャパシタＣ１が電気的に並列接続されている。第２固体光源部２２は、第２キャパシタＣ２が電気的に並列接続されている。第３固体光源部２３は、第３キャパシタＣ３が電気的に並列接続されている。第１固体光源部２１の負極に第１ダイオードＤ１のアノードが電気的に接続されている。第２固体光源部２２の負極に第２ダイオードＤ２のアノードが電気的に接続されている。第３固体光源部２３の負極に第３ダイオードＤ３のアノードが電気的に接続されている。第１固体光源部２１、第２固体光源部２２及び第３固体光源部２３は、それぞれの正極と負極の間に印加される電圧がそれぞれのオン電圧（第１オン電圧Ｖ２１、第２オン電圧Ｖ２２及び第３オン電圧Ｖ２３）以上のときに導通して発光（点灯）する。
【００１５】
駆動回路１２は、第１定電流回路１２１、第２定電流回路１２２、及び第３定電流回路１２３を有している。第１定電流回路１２１の入力端子が分流回路１３を介して第１ダイオードＤ１のカソードと電気的に接続されている。第２定電流回路１２２の入力端子が第２ダイオードＤ２のカソードと電気的に接続されている。第３定電流回路１２３の入力端子が第３ダイオードＤ３のカソードと電気的に接続されている。また、第１定電流回路１２１、第２定電流回路１２２、及び第３定電流回路１２３の出力端子が整流回路１１の第２出力端子１１４と電気的に接続されている。第１定電流回路１２１、第２定電流回路１２２及び第３定電流回路１２３はそれぞれ、入力端子から入力する電流を定電流化して出力端子から出力するように構成されている。ただし、第１定電流回路１２１、第２定電流回路１２２及び第３定電流回路１２３はそれぞれ単独で動作し、２つ以上の定電流回路が同時に動作することはない。
【００１６】
分流回路１３は、ブリーダ抵抗１３０と、制御回路１３１とを有している。分流回路１３は、第１固体光源部２１及び第１ダイオードＤ１と電気的に並列接続されている。ブリーダ抵抗１３０の一端が整流回路１１の第１出力端子１１３及び第１固体光源部２１の正極と電気的に接続されている。制御回路１３１は、第１固体光源部２１の非導通時（消灯時）にブリーダ抵抗１３０に電流（ブリーダ電流）を流し、第１固体光源部２１の導通時（点灯時）にブリーダ電流を流さないように構成されている。
【００１７】
整流回路１１から出力される脈流電圧Ｖ２の電圧値が第１オン電圧Ｖ２１未満となる期間（図２における期間Ｔ１、Ｔ７）では、第１固体光源部２１、第２固体光源部２２及び第３固体光源部２３が導通せずに全て消灯する。このとき、第２定電流回路１２２と第３定電流回路１２３は停止している。一方、分流回路１３の制御回路１３１が動作し、整流回路１１から出力される電流Ｉ１をブリーダ抵抗１３０に流す。ブリーダ抵抗１３０に流れる電流は、制御回路１３１を経由して第１定電流回路１２１の入力端子に流れ込む。そのため、第１定電流回路１２１が動作する。その結果、図３Ａに点線で示す経路ＲＴ１、すなわち整流回路１１の第１出力端子１１３から分流回路１３及び第１定電流回路１２１を通って整流回路１１の第２出力端子１１４に戻る経路で電流Ｉ２０（電流Ｉ１）が流れる。以下では、経路ＲＴ１に電流Ｉ１が流れる動作モードを第１モードという。ここで、脈流電圧Ｖ２の電圧値が第１オン電圧Ｖ２１未満となる期間が、分流回路１３に電流Ｉ２０が流れる、第１期間となる。
【００１８】
脈流電圧Ｖ２の電圧値が第１オン電圧Ｖ２１以上、かつ、第１オン電圧Ｖ２１と第２オン電圧Ｖ２２の合計値（第１電圧合計値という）未満になる期間（図２の期間Ｔ２，Ｔ６）では、第１固体光源部２１及び第１ダイオードＤ１が導通する。第１固体光源部２１及び第１ダイオードＤ１が導通すれば、第１定電流回路１２１が動作して第１固体光源部２１に流れる電流Ｉ２１（電流Ｉ１）を定電流化する。第１固体光源部２１は、電流Ｉ２１が流れることで点灯する。なお、分流回路１３の制御回路１３１は、第１固体光源部２１に電流Ｉ２１が流れ始めると、ブリーダ抵抗１３０に電流Ｉ１を流さないように構成されている。したがって、期間Ｔ２、Ｔ６においては、図３Ｂに点線で示す経路ＲＴ２、すなわち整流回路１１の第１出力端子１１３から第１固体光源部２１と第１ダイオードＤ１と分流回路１３の抵抗Ｒ４と第１定電流回路１２１とを通って整流回路１１の第２出力端子１１４に戻る経路に、電流Ｉ１が流れる。なお、第１定電流回路１２１は、第１固体光源部２１に流れる電流Ｉ２１を所定の電流値Ｉst1に定電流化する（図２参照）。ただし、第２固体光源部２２と第３固体光源部２３は導通せずに消灯したままである。以下では、経路ＲＴ２に電流Ｉ１（Ｉ２１）が流れる動作モードを第２モードという。ここで、脈流電圧Ｖ２の電圧値が第１オン電圧Ｖ２１以上、かつ、第１電圧合計値未満となる期間が、第１固体光源部２１のみに電流Ｉ２１が流れる、第２期間となる。
【００１９】
図２の期間Ｔ３、Ｔ５では、脈流電圧Ｖ２の電圧値が第１電圧合計値（Ｖ２１＋Ｖ２２）以上、かつ、第１電圧合計値と第３オン電圧Ｖ２３の合計値（第２電圧合計値いう）未満となる。この期間Ｔ３、Ｔ５では、第１固体光源部２１、第２固体光源部２２及び第２ダイオードＤ２が導通する。第１固体光源部２１、第２固体光源部２２及び第２ダイオードＤ２が導通すれば、第２定電流回路１２２が動作して第１固体光源部２１及び第２固体光源部２２に流れる電流Ｉ２１、Ｉ２２（電流Ｉ１）を定電流化する。第１固体光源部２１及び第２固体光源部２２は、電流Ｉ２１、Ｉ２２が流れることで点灯する。なお、第１定電流回路１２１は動作を停止する。つまり、図３Ｃに点線で示す経路ＲＴ３、すなわち整流回路１１の第１出力端子１１３から第１固体光源部２１及び第２固体光源部２２と第２ダイオードＤ２と第２定電流回路１２２を通って整流回路１１の第２出力端子１１４に戻る経路に電流Ｉ１が流れる。なお、第２定電流回路１２２は、第１固体光源部２１に流れる電流Ｉ２１及び第２固体光源部２２に流れる電流Ｉ２２を所定の電流値Ｉst1に定電流化する（図２参照）。ただし、第３固体光源部２３は導通せずに消灯したままである。以下では、経路ＲＴ３に電流Ｉ１（Ｉ２１及びＩ２２）が流れる動作モードを第３モードという。
【００２０】
図３の期間Ｔ４では、脈流電圧Ｖ２の電圧値が第２電圧合計値（Ｖ２１＋Ｖ２２＋Ｖ２３）以上となる。この期間Ｔ４では、第１固体光源部２１、第２固体光源部２２、第３固体光源部２３及び第３ダイオードＤ３が導通する。第１固体光源部２１、第２固体光源部２２、第３固体光源部２３及び第３ダイオードＤ３が導通すれば、第３定電流回路１２３が動作して第１固体光源部２１、第２固体光源部２２及び第３固体光源部２３に流れる電流Ｉ２１、Ｉ２２、Ｉ２３を定電流化する。第１固体光源部２１、第２固体光源部２２及び第３固体光源部２３は、電流Ｉ２１、Ｉ２２、Ｉ２３が流れることで点灯する。なお、第１定電流回路１２１及び第２定電流回路１２２は動作を停止する。つまり、図３Ｄに点線で示す経路ＲＴ４に電流Ｉ１が流れる。この経路ＲＴ４は、整流回路１１の第１出力端子１１３から第１固体光源部２１、第２固体光源部２２及び第３固体光源部２３と第３ダイオードＤ３と第３定電流回路１２３を通って整流回路１１の第２出力端子１１４に戻る経路である。なお、第３定電流回路１２３は、第１固体光源部２１に流れる電流Ｉ２１、第２固体光源部２２に流れる電流Ｉ２２及び第３固体光源部２３に流れる電流Ｉ２３を所定の電流値Ｉst1に定電流化する（図２参照）。以下では、経路ＲＴ４に電流Ｉ１（Ｉ２１、Ｉ２２及びＩ２３）が流れる動作モードを第４モードという。ここで、脈流電圧Ｖ２の電圧値が第２電圧合計値以上となる期間が、全ての固体光源（第１固体光源部２１、第２固体光源部２２及び第３固体光源部２３）が点灯する、第３期間となる。
【００２１】
次に、図４の回路図を参照して、点灯装置１Ｘの回路構成をさらに詳しく説明する。ただし、図４の回路図に示す構成は、点灯装置１Ｘの回路構成の一例である。つまり、点灯装置１Ｘの回路構成は、図４に示す回路構成に限定されず、適宜変更が可能である。
【００２２】
第１固体光源部２１、第２固体光源部２２及び第３固体光源部２３は、それぞれ表面実装型の発光ダイオードからなる固体光源（第１固体光源２１０、第２固体光源２２０、第３固体光源２３０）を有している。ただし、第１固体光源部２１、第２固体光源部２２及び第３固体光源部２３は、それぞれ複数個の固体光源（第１固体光源２１０、第２固体光源２２０、第３固体光源２３０）の直列回路で構成されることが好ましい。なお、第１固体光源２１０、第２固体光源２２０及び第３固体光源２３０は、発光ダイオード以外の固体光源、例えば、有機エレクトロルミネッセンス素子やレーザダイオードであっても構わない。
【００２３】
ここで、第１固体光源部２１の第１オン電圧Ｖ２１は、第１固体光源２１０の順方向電圧に、第１固体光源２１０の直列接続されている個数を乗じた値に等しい。また、第２固体光源部２２の第２オン電圧Ｖ２２は、第２固体光源２２０の順方向電圧に、第２固体光源２２０の直列接続されている個数を乗じた値に等しい。さらに、第３固体光源部２３の第３オン電圧Ｖ２３は、第３固体光源２３０の順方向電圧に、第３固体光源２３０の直列接続されている個数を乗じた値に等しい。例えば、第１固体光源２１０、第２固体光源２２０及び第３固体光源２３０の順方向電圧が全て３．１［Ｖ］であると仮定する。このとき、第１固体光源部２１を構成する第１固体光源２１０の数が１４個であれば、第１オン電圧Ｖ２１は、Ｖ２１＝３．１×１４＝４３．４［Ｖ］、となる。また、第２固体光源部２２を構成する第２固体光源２２０の数が１３個であれば、第２オン電圧Ｖ２２は、Ｖ２２＝３．１×１３＝４０．３（Ｖ）、となる。さらに、第３固体光源部２３を構成する第３固体光源２３０の数が１２個であれば、第３オン電圧Ｖ２３は、Ｖ２３＝３．１×１２＝３７．２［Ｖ］となる。
【００２４】
第１固体光源２１０、第２固体光源２２０及び第３固体光源２３０のそれぞれと一対一に並列接続されている、第１キャパシタＣ１、第２キャパシタＣ２及び第３キャパシタＣ３は、例えば、アルミ電解コンデンサである。第１キャパシタＣ１、第２キャパシタＣ２及び第３キャパシタＣ３は、それぞれ電流Ｉ２１、Ｉ２２及びＩ２３を平滑することによって、第１固体光源部２１、第２固体光源部２２及び第３固体光源部２３の光出力のリップル（変動）を低減している。ゆえに、第１固体光源部２１の等価抵抗と第１キャパシタＣ１の静電容量とで決定される時定数が脈流電圧Ｖ２の周期よりも大きくなるように、第１キャパシタＣ１の静電容量が設定されていることが好ましい。同様に、第２固体光源部２２の等価抵抗と第２キャパシタＣ２の静電容量とで決定される時定数が脈流電圧Ｖ２の周期よりも大きくなるように、第２キャパシタＣ２の静電容量が設定されていることが好ましい。また、第３固体光源部２３の等価抵抗と第３キャパシタＣ３の静電容量とで決定される時定数が脈流電圧Ｖ２の周期よりも大きくなるように、第３キャパシタＣ３の静電容量が設定されていることが好ましい。ただし、これらのキャパシタＣ１〜Ｃ３は点灯装置１Ｘに必須の構成要素ではなく、適宜省略されてもよい。
【００２５】
駆動回路１２は、第１定電流回路１２１〜第３定電流回路１２３に加えて、電流制御回路１２４を有している。電流制御回路１２４は、ツェナーダイオード１２４０、第１分圧抵抗Ｒ１０１、第２分圧抵抗Ｒ１０２、第３分圧抵抗Ｒ１０３並びにキャパシタＣ１０１で構成されることが好ましい。第１分圧抵抗Ｒ１０１の一端は、整流回路１１の第１出力端子１１３と電気的に接続されている。第１分圧抵抗Ｒ１０１の他端は、第２分圧抵抗Ｒ１０２の一端及びツェナーダイオード１２４０のカソードと電気的に接続されている。第２分圧抵抗Ｒ１０２の他端は、第３分圧抵抗Ｒ１０３の一端と電気的に接続されている。第３分圧抵抗Ｒ１０３の他端は、ツェナーダイオード１２４０のアノード、整流回路１１の第２出力端子１１４及び抵抗Ｒ１と電気的に接続されている。キャパシタＣ１０１は第３分圧抵抗Ｒ１０３と電気的に並列接続されている。
【００２６】
ここで、第１分圧抵抗Ｒ１０１、第２分圧抵抗Ｒ１０２及び第３分圧抵抗Ｒ１０３からなる分圧回路は、第１分圧抵抗Ｒ１０１、第２分圧抵抗Ｒ１０２及び第３分圧抵抗Ｒ１０３で脈流電圧Ｖ２を分圧して基準電圧Ｖｘを生成している。ただし、基準電圧Ｖｘは、脈流電圧Ｖ２が第１オン電圧Ｖ２１以上の期間（図２の期間Ｔ２〜Ｔ６）においては、ツェナーダイオード１２４０のツェナー電圧を第２分圧抵抗Ｒ１０２と第３分圧抵抗Ｒ１０３で分圧した電圧に制限（クランプ）される。一方、脈流電圧Ｖ２が第１オン電圧Ｖ２１未満の期間（図２の期間Ｔ１、Ｔ７）においては、基準電圧Ｖｘは、脈流電圧Ｖ２に比例して変化する。なお、３つの分圧抵抗Ｒ１０１〜Ｒ１０３とキャパシタＣ１０１とでフィルタ回路が構成されている。フィルタ回路は、交流電源４から入力されるノイズ（高調波ノイズ）を低減させ、ノイズによる定電流回路１２１〜１２３の誤動作が抑制される。ただし、フィルタ回路の時定数は、交流電源４の電源周波数が５０［Ｈｚ］又は６０［Ｈｚ］である場合、期間Ｔ１、Ｔ７における基準電圧Ｖｘを脈流電圧Ｖ２に比例して変化させるために１ミリ秒以下に設定されることが好ましい。
【００２７】
第１定電流回路１２１は、トランジスタＱ１と、オペアンプＵ１と、キャパシタＣ１１と、抵抗Ｒ１２とを備えている。トランジスタＱ１は、例えばエンハンスメント形のｎチャンネルＭＯＳＦＥＴ（Metal-Oxide-Semiconductor Field Effect Transistor）である。トランジスタＱ１のドレインは第１ダイオードＤ１のカソードと電気的に接続されている。トランジスタＱ１のソースは抵抗Ｒ１と電気的に接続されている。トランジスタＱ１のゲートはオペアンプＵ１の出力端子と電気的に接続されている。オペアンプＵ１のプラス入力端子は、第２分圧抵抗Ｒ１０２、Ｒ１０３の接続点と電気的に接続されている。オペアンプＵ１のプラス入力端子は、電流制御回路１２４の出力端子（第２分圧抵抗Ｒ１０２と第３分圧抵抗Ｒ１０３の接続点）と電気的に接続されている。つまり、オペアンプＵ１のプラス入力端子には、基準電圧Ｖｘが入力される。オペアンプＵ１のマイナス入力端子は、キャパシタＣ１１を介してオペアンプＵ１の出力端子と電気的に接続されている。また、オペアンプＵ１のマイナス入力端子は、抵抗Ｒ１２を介してトランジスタＱ１のソースと電気的に接続されている。つまり、オペアンプＵ１のマイナス入力端子には、抵抗Ｒ１に流れる電流（電流Ｉ１）に比例した検出電圧Ｖｙが入力される。オペアンプＵ１は、基準電圧Ｖｘと検出電圧Ｖｙとの差電圧に比例した電圧をトランジスタＱ１のゲートに出力する。オペアンプＵ１は、抵抗Ｒ１に流れる電流Ｉ１の電流値が基準電圧Ｖｘの電圧値に対応した目標値よりも大きければ、出力電圧を低下してトランジスタＱ１のゲート・ソース電圧を低下させることで電流Ｉ１を減少させる。また、オペアンプＵ１は、電流Ｉ１の電流値が目標値よりも小さければ、出力電圧を高くしてトランジスタＱ１のゲート・ソース電圧を上昇させることで電流Ｉ１を増加させる。このようにして、オペアンプＵ１は、抵抗Ｒ１に流れる電流Ｉ１を、基準電圧Ｖｘの電圧値に対応した目標値に一致させるようにトランジスタＱ１を制御している。ここで、キャパシタＣ１１と抵抗Ｒ１２とで位相補償回路が構成され、オペアンプＵ１の発振が防止されている。
【００２８】
第２定電流回路１２２及び第３定電流回路１２３は、第１定電流回路１２１と共通の回路構成を有している。すなわち、第２定電流回路１２２の「トランジスタＱ２」、「オペアンプＵ２」、「キャパシタＣ２１」、「抵抗Ｒ２２」は、それぞれ、第１定電流回路１２１の「トランジスタＱ１」、「オペアンプＵ１」、「キャパシタＣ１１」、「抵抗Ｒ１２」に相当する。同じく、第３定電流回路１２３の「トランジスタＱ３」、「オペアンプＵ３」、「キャパシタＣ３１」、「抵抗Ｒ３２」は、それぞれ、第１定電流回路１２１の「トランジスタＱ１」、「オペアンプＵ１」、「キャパシタＣ１１」、「抵抗Ｒ１２」に相当する。そして、第２定電流回路１２２及び第３定電流回路１２３は、第１定電流回路１２１と同様に、抵抗Ｒ１に流れる電流Ｉ１を、基準電圧Ｖｘの電圧値に対応した目標値に一致させるように動作する。ただし、第２定電流回路１２２及び第３定電流回路１２３は、それぞれ第２固体光源部２２及び第３固体光源部２３が導通しなければ、動作しない。また、第１定電流回路１２１は、第２定電流回路１２２が動作しているときはトランジスタＱ１のドレイン電流を遮断又は減少させることが好ましい。さらに、第２定電流回路１２２は、第３定電流回路１２３が動作しているときはトランジスタＱ２のドレイン電流を遮断又は減少させることが好ましい。
【００２９】
最後に、分流回路１３の回路構成を説明する。既に説明したように、分流回路１３は、ブリーダ抵抗１３０と制御回路１３１を有している。ブリーダ抵抗１３０の一端が整流回路１１の第１出力端子１１３と電気的に接続されている。制御回路１３１は、３つのスイッチング素子Ｑ４、Ｑ５、Ｑ６と、３つの抵抗Ｒ２、Ｒ３、Ｒ４とを有している。なお、３つのスイッチング素子Ｑ４、Ｑ５、Ｑ６は、いずれもＮＰＮ型のバイポーラトランジスタである。スイッチング素子Ｑ４のコレクタがブリーダ抵抗１３０の他端と電気的に接続されている。スイッチング素子Ｑ４のエミッタが抵抗Ｒ２の一端及びスイッチング素子Ｑ５のベースと電気的に接続されている。抵抗Ｒ２の他端がスイッチング素子Ｑ５のエミッタ及びスイッチング素子Ｑ６のエミッタと電気的に接続されている。スイッチング素子Ｑ５のコレクタが抵抗Ｒ３を介してブリーダ抵抗１３０の一端及び整流回路１１の第１出力端子１１３と電気的に接続されている。スイッチング素子Ｑ６のコレクタが、スイッチング素子Ｑ４のベース及びスイッチング素子Ｑ５のコレクタと電気的に接続されている。スイッチング素子Ｑ６のベースが第１ダイオードＤ１のカソード及び抵抗Ｒ４の一端と電気的に接続されている。スイッチング素子Ｑ６のコレクタが抵抗Ｒ４の他端及び第１定電流回路１２１のトランジスタＱ１のドレインと電気的に接続されている。制御回路１３１は、スイッチング素子Ｑ４をオンすることでブリーダ抵抗１３０に電流を流す。また、制御回路１３１は、第１固体光源部２１及び第１ダイオードＤ１が導通して抵抗Ｒ４に電流Ｉ１が流れると、スイッチング素子Ｑ６をオンしてスイッチング素子Ｑ４をオフすることにより、ブリーダ抵抗１３０に電流を流さない。また、制御回路１３１は、ブリーダ抵抗１３０に流れる電流が増えすぎた場合、スイッチング素子Ｑ５をオンしてスイッチング素子Ｑ４をオフする。すなわち、制御回路１３１は、脈流電圧Ｖ２の電圧値が第１オン電圧Ｖ２１未満の期間にブリーダ抵抗１３０に電流を流し、その他の期間にはブリーダ抵抗１３０に電流を流さないように構成されている。
【００３０】
次に、図５及び図６を参照して点灯装置１Ｘの動作を詳細に説明する。図５は、点灯装置１Ｘの動作説明用の波形図である。図５には、図５の上から順番に、脈流電圧Ｖ２、電流Ｉ１、電流Ｉ２０、電流Ｉ２１、電流Ｉ２２、電流Ｉ２３の波形が示されている。図６は、分流回路１３の動作説明用の波形図である。図６には、図６の上から順番に、電流Ｉ２１の波形、第１ダイオードＤ１の状態（オン、オフ）、スイッチング素子Ｑ６の状態（オン、オフ）、スイッチング素子Ｑ４の状態（オン、オフ）、電流Ｉ２０の波形が示されている。なお、図５及び図６における横軸は時間ｔであり、時間ｔ＝ｔ０、ｔ７が脈流電圧Ｖ２のゼロクロスと一致している。
【００３１】
まず、時間ｔ＝ｔ０〜ｔ１の期間では、脈流電圧Ｖ２の電圧値が第１オン電圧Ｖ２１未満であるので、第１固体光源部２１、第２固体光源部２２及び第３固体光源部２３は全て消灯している。脈流電圧Ｖ２の電圧値が第１オン電圧Ｖ２１未満の場合、第１固体光源部２１及び第１ダイオードＤ１が導通（オン）しないので、抵抗Ｒ４に電流が流れず、スイッチング素子Ｑ６はオフしている。このとき、スイッチング素子Ｑ４がオンしているので、整流回路１１の第１出力端子１１３からブリーダ抵抗１３０、スイッチング素子Ｑ４、抵抗Ｒ２、第１定電流回路１２１の経路で電流Ｉ２０（電流Ｉ１）が流れる。第１定電流回路１２１は、分流回路１３に流れる電流Ｉ２０（電流Ｉ１）を、基準電圧Ｖｘの電圧値に対応した目標値に一致させる。ただし、時間ｔ＝ｔ０〜ｔ１の期間では、電流制御回路１２４から出力される基準電圧Ｖｘが脈流電圧Ｖ２に比例して増加するので、電流Ｉ２０（電流Ｉ１）も徐々に増加する。
【００３２】
時間ｔ＝ｔ１〜ｔ２の期間では、脈流電圧Ｖ２の電圧値が第１オン電圧Ｖ２１以上、かつ、第１電圧合計値未満であるので、第１固体光源部２１及び第１ダイオードＤ１が導通（オン）して抵抗Ｒ４に電流Ｉ２１（電流Ｉ１）が流れる。抵抗Ｒ４に電流が流れるとスイッチング素子Ｑ６がオンする。スイッチング素子Ｑ６がオンするとスイッチング素子Ｑ４がオフするので、ブリーダ抵抗１３０に電流Ｉ２０が流れなくなる。第１定電流回路１２１は、第１固体光源部２１及び第１ダイオードＤ１に流れる電流Ｉ２１（電流Ｉ１）を、基準電圧Ｖｘの電圧値に対応した目標値に一致させる。ただし、時間ｔ＝ｔ１〜ｔ６の期間では、電流制御回路１２４から出力される基準電圧Ｖｘが、ツェナーダイオード１２４０のツェナー電圧を第２分圧抵抗Ｒ１０２と第３分圧抵抗Ｒ１０３で分圧した電圧に制限（クランプ）される。したがって、電流Ｉ２１（電流Ｉ１）は、所定の電流値Ｉst1に定電流化される。
【００３３】
時間ｔ＝ｔ２〜ｔ３の期間では、脈流電圧Ｖ２の電圧値が第１電圧合計値以上、かつ、第２電圧合計値未満であるので、第１固体光源部２１、第２固体光源部２２及び第２ダイオードＤ２が導通（オン）し、第１ダイオードＤ１が非導通（オフ）となる。第１ダイオードＤ１がオフすると、抵抗Ｒ４に電流Ｉ２１（電流Ｉ１）が流れなくなり、スイッチング素子Ｑ６がオフする。ただし、スイッチング素子Ｑ６がオフであっても、第１固体光源部２１が点灯している間は分流回路１３の方に電流が流れ込まないため、スイッチング素子Ｑ４はオフしたままである。ゆえに、分流回路１３に電流Ｉ２０は流れない。このとき、第１定電流回路１２１は停止する。また、第２定電流回路１２２は、第１固体光源部２１、第２固体光源部２２及び第２ダイオードＤ２に流れる電流Ｉ２２（電流Ｉ１）を、所定の電流値Ｉst1に定電流化する。
【００３４】
時間ｔ＝ｔ３〜ｔ４の期間では、脈流電圧Ｖ２の電圧値が第２電圧合計値以上であるので、第１固体光源部２１、第２固体光源部２２、第３固体光源部２３及び第３ダイオードＤ３が導通（オン）する。また、第１ダイオードＤ１及び第２ダイオードＤ２は非導通（オフ）となる。第１ダイオードＤ１がオフしているが、分流回路１３は引き続き停止している。また、第１定電流回路１２１及び第２定電流回路１２２は停止する。第３定電流回路１２３は、第１固体光源部２１、第２固体光源部２２、第３固体光源部２３及び第３ダイオードＤ３に流れる電流Ｉ２３（電流Ｉ１）を、所定の電流値Ｉst1に定電流化する。
【００３５】
時間ｔ＝ｔ４〜ｔ５の期間では、脈流電圧Ｖ２の電圧値が第１電圧合計値以上、かつ、第２電圧合計値未満であるので、第３固体光源部２３及び第３ダイオードＤ３が非導通（オフ）となる。また、第１固体光源部２１、第２固体光源部２２及び第２ダイオードＤ２が導通（オン）し、第１ダイオードＤ１が非導通（オフ）となる。第１ダイオードＤ１がオフしているが、分流回路１３は引き続き停止している。また、第３定電流回路１２３は停止する。第２定電流回路１２２は、第１固体光源部２１、第２固体光源部２２及び第２ダイオードＤ２に流れる電流Ｉ２２（電流Ｉ１）を、所定の電流値Ｉst1に定電流化する。
【００３６】
時間ｔ＝ｔ５〜ｔ６の期間では、脈流電圧Ｖ２の電圧値が第１オン電圧Ｖ２１以上、かつ、第１電圧合計値未満であるので、第２固体光源部２２、第３固体光源部２３、第２ダイオードＤ２及び第３ダイオードＤ３が非導通（オフ）となる。また、第１固体光源部２１及び第１ダイオードＤ１が導通（オン）する。第１ダイオードＤ１がオンするので、スイッチング素子Ｑ４がオフする。したがって、分流回路１３は引き続き停止している。また、第２定電流回路１２２は停止する。第１定電流回路１２１は、第１固体光源部２１及び第１ダイオードＤ１に流れる電流Ｉ２１（電流Ｉ１）を、所定の電流値Ｉst1に定電流化する。
【００３７】
時間ｔ＝ｔ６〜ｔ７の期間では、脈流電圧Ｖ２の電圧値が第１オン電圧Ｖ２１未満であるので、第１固体光源部２１、第２固体光源部２２、第３固体光源部２３、第１ダイオードＤ１、第２ダイオードＤ２及び第３ダイオードＤ３が非導通（オフ）とある。第１ダイオードＤ１がオフしているので、スイッチング素子Ｑ４がオンして制御回路１３１が動作し、ブリーダ抵抗１３０に電流Ｉ２０を流す。また、第２定電流回路１２２及び第３定電流回路１２３は引き続き停止している。第１定電流回路１２１は、分流回路１３に流れる電流Ｉ２０（電流Ｉ１）を、基準電圧Ｖｘの電圧値に対応した目標値に一致させる。ただし、時間ｔ＝ｔ６〜ｔ７の期間では、電流制御回路１２４から出力される基準電圧Ｖｘが脈流電圧Ｖ２に比例して減少するので、電流Ｉ２０（電流Ｉ１）も徐々に減少する。
【００３８】
以下、点灯装置１は、交流電圧Ｖ１の半周期（脈流電圧Ｖ２の１周期）ごとに時間ｔ０〜ｔ７までの動作を繰り返す。
【００３９】
上述のように、点灯装置１Ｘは第１固体光源部２１、第２固体光源部２２及び第３固体光源部２３が全て消灯している期間（第１期間）に分流回路１３に電流Ｉ２０を流すことにより、交流電源４から入力電流（電流Ｉ１）が流れ込まない期間がなくなる。その結果、点灯装置１Ｘは、入力電流（電流Ｉ１）の高調波歪みを低減することができる。
【００４０】
ここで、分流回路１３が第１固体光源部２１と電気的に並列接続されていることの利点を説明する。整流回路１１の第１出力端子１１３及び第２出力端子１１４から出力される脈流電圧Ｖ２は、最大で交流電圧Ｖ１のピーク値（実効値が１００［Ｖ］の場合で約１４１［Ｖ］）に達する。したがって、分流回路１３が第１出力端子１１３及び第２出力端子１１４に電気的に並列接続されていると仮定すると、制御回路１３１のスイッチング素子Ｑ４の耐圧は、脈流電圧Ｖ２の最大値（約１４１［Ｖ］）よりも高くなければならない。
【００４１】
一方、点灯装置１Ｘでは、分流回路１３が第１固体光源部２１（実際は第１固体光源部２１と第１ダイオードＤ１）と電気的に並列接続されている。したがって、制御回路１３１のスイッチング素子Ｑ４には、最大で第１固体光源部２１の順方向電圧（第１オン電圧Ｖ２１）程度の電圧（例えば、約４３［Ｖ］）しか印加されない。そのため、スイッチング素子Ｑ４の耐圧は、せいぜい８０［Ｖ］程度で十分である。ゆえに、スイッチング素子Ｑ４として、脈流電圧Ｖ２の最大値（約１４１［Ｖ］）よりも十分に低い耐圧の半導体スイッチング素子（例えば、電界効果トランジスタ）が使用できるので、製造コストの上昇を抑えることができる。
【００４２】
点灯装置１Ｘは上述のように、整流回路１１と、駆動回路１２と、分流回路１３とを備えている。整流回路１１は、第１出力端子１１３と第２出力端子１１４を有している。整流回路１１は、交流電圧Ｖ１を整流した脈流電圧Ｖ２を、第１出力端子１１３及び第２出力端子１１４から出力するように構成されている。駆動回路１２は、脈流電圧Ｖ２の１周期内において、脈流電圧Ｖ２の電圧値に応じて、第１期間と、第２期間と、第３期間と、第２期間と、第１期間とを順に切り換えるように構成されている。第１期間は、第１出力端子１１３から出力される出力電流Ｉ１を分流回路１３に供給する期間である。第２期間は、出力電流Ｉ１を第１固体光源部２１に供給する期間である。第３期間は、出力電流Ｉ１を第１固体光源部２１を含む複数の固体光源部（第１固体光源部２１、第２固体光源部２２及び第３固体光源部２３）に供給する期間である。分流回路１３は、第１固体光源部２１と電気的に並列接続されている。分流回路１３は、第１期間に、脈流電圧Ｖ２の電圧値に比例した出力電流Ｉ１（電流Ｉ２０）を流すように構成されている。
【００４３】
点灯装置１Ｘが上述のように構成されれば、分流回路１３に印加される脈流電圧Ｖ２の最大値が第１固体光源部２１の順方向電圧程度であるから、分流回路１３を構成する回路素子の耐圧を相対的に下げることができる。その結果、点灯装置１Ｘは、分流回路１３に電流を流すことで入力電流Ｉ１の高調波歪みを低減しつつ、耐圧の低い回路素子を使用することで製造コストの上昇を抑えることができる。
【００４４】
また、点灯装置１Ｘにおいて、複数の固体光源部（第１固体光源部２１、第２固体光源部２２、第３固体光源部２３）に一対一に対応する複数のキャパシタ（第１キャパシタＣ１、第２キャパシタＣ２、第３キャパシタＣ３）を備えることが好ましい。複数のキャパシタ（第１キャパシタＣ１、第２キャパシタＣ２、第３キャパシタＣ３）のそれぞれは、複数の固体光源部のうち、対応する固体光源部（第１固体光源部２１、第２固体光源部２２、第３固体光源部２３）と電気的に並列接続されていることが好ましい。
【００４５】
点灯装置１Ｘが上述のように構成されれば、脈流電圧Ｖ２の変化に対して複数の固体光源部の印加電圧を平滑し、複数の固体光源部の光出力の変動（リップル）を抑えることができる。
【００４６】
さらに、点灯装置１Ｘにおいて、分流回路１３は、第１期間に流す出力電流Ｉ１の電流値を所定の上限値以下に制限するように構成されていることが好ましい。
【００４７】
点灯装置１Ｘが上述のように構成されれば、分流回路１３を構成する回路素子（スイッチング素子Ｑ４）に過大な電流が流れることを防ぐことができる。
【００４８】
ところで、分流回路１３の制御回路１３１は、図７に示す回路構成であってもよい。図７に示す制御回路１３１は、２つのスイッチング素子Ｑ４、Ｑ６と、２つの抵抗Ｒ３、Ｒ４とを有している。ブリーダ抵抗１３０の一端と抵抗Ｒ３の一端とが第１固体光源部２１の正極と電気的に接続されている。ブリーダ抵抗１３０の他端がスイッチング素子Ｑ４のコレクタと電気的に接続されている。抵抗Ｒ３の他端がスイッチング素子Ｑ４のベース及びスイッチング素子Ｑ６のコレクタと電気的に接続されている。スイッチング素子Ｑ４のエミッタ及びスイッチング素子Ｑ６のベースが抵抗Ｒ４の一端及び第１ダイオードＤ１のカソードと電気的に接続されている。スイッチング素子Ｑ６のエミッタが抵抗Ｒ４の他端及びトランジスタＱ１のドレインと電気的に接続されている。
【００４９】
制御回路１３１は、スイッチング素子Ｑ４をオンすることでブリーダ抵抗１３０に電流Ｉ２０を流す。また、制御回路１３１は、第１固体光源部２１及び第１ダイオードＤ１が導通して抵抗Ｒ４に電流Ｉ２１が流れ、抵抗Ｒ４の両端電圧がスイッチング素子Ｑ６のベース・エミッタ電圧のしきい値を超えると、スイッチング素子Ｑ６をオンする。制御回路１３１は、スイッチング素子Ｑ６をオンすることにより、スイッチング素子Ｑ４をオフしてブリーダ抵抗１３０に電流を流さない。また、制御回路１３１は、ブリーダ抵抗１３０に流れる電流が増えすぎると、スイッチング素子Ｑ６をオンしてスイッチング素子Ｑ４をオフする。すなわち、制御回路１３１は、脈流電圧Ｖ２の電圧値が第１オン電圧Ｖ２１未満の期間にブリーダ抵抗１３０に電流を流し、その他の期間にはブリーダ抵抗１３０に電流を流さないように構成されている。
【００５０】
制御回路１３１が上述のように構成されれば、スイッチング素子Ｑ５と抵抗Ｒ５を削減しつつ、第１期間のみにブリーダ抵抗１３０に電流Ｉ２０を流すことができる。
【００５１】
（実施形態２）
実施形態２に係る点灯装置１Ｙ（以下、点灯装置１Ｙと略す）の回路構成を図８に示す。ただし、点灯装置１Ｙの回路構成は、図４に示した点灯装置１Ｘの回路構成の大部分と共通しているので、点灯装置１Ｘの回路構成と共通の構成要素には同一の符号を付して説明を省略する。
【００５２】
点灯装置１Ｙは、第２定電流回路及び第３定電流回路が集積回路（第１集積回路３０）で置き換えられている点と、第１定電流回路１２１を強制的に停止させる回路を備える点とが点灯装置１Ｘと異なっている。また、点灯装置１Ｙは、分流回路１３の制御回路１３１が図７に示した回路構成である点が点灯装置１Ｘと異なっている。
【００５３】
第１集積回路３０は、トランジスタＱ２、Ｑ３、トランジスタＱ２、Ｑ３を制御する制御部３００、第１電流検知部３０１及び第２電流検知部３０２、制御電源部３０３、温度検知部３０４などを有している。
【００５４】
第１電流検知部３０１は、トランジスタＱ２に流れる電流Ｉ２２の電流値を検知する。第２電流検知部３０２は、トランジスタＱ３に流れる電流Ｉ２３の電流値を検知する。制御部３００は、第１電流検知部３０１が検知する電流値を目標値（例えば、所定の電流値Ｉst1）に一致させるようにトランジスタＱ２のゲート・ソース電圧を制御する。また、制御部３００は、第２電流検知部３０２が検知する電流値を目標値（例えば、所定の電流値Ｉst1）に一致させるようにトランジスタＱ３のゲート・ソース電圧を制御する。温度検知部３０４は、第１集積回路３０の内部温度を検知する。制御電源部３０３は、整流回路１１の第１出力端子１１３及び第２出力端子１１４から取り込んだ脈流電圧Ｖ２を降圧し、かつ、定電圧化して制御電圧を生成する。制御電源部３０３が生成する制御電圧は、制御部３００、第１電流検知部３０１、第２電流検知部３０２などに供給される。また、制御電源部３０３は、温度検知部３０４が検知する内部温度を第１しきい値と比較し、内部温度が第１しきい値を超えると、制御電圧の供給を停止する。したがって、制御電圧の供給が停止されることで制御部３００が停止するので、トランジスタＱ２、Ｑ３のゲート・ソース電圧がゼロになり、トランジスタＱ２、Ｑ３がオフする。その結果、第１集積回路３０の内部温度の上昇が抑えられる。なお、制御電源部３０３は、温度検知部３０４が検知する内部温度が第１しきい値よりも低い第２しきい値を下回れば、制御電圧の供給を再開する。
【００５５】
第１定電流回路１２１を強制的に停止させる回路は、スイッチング素子Ｑ３０１と、２つの抵抗Ｒ３３３、Ｒ３３４とで構成されている。スイッチング素子Ｑ３０１は、ＮＰＮ型のバイポーラトランジスタである。スイッチング素子Ｑ３０１のコレクタがオペアンプＵ１のプラス入力端子と電気的に接続されている。スイッチング素子Ｑ３０１のエミッタが整流回路１１の第２出力端子１１４と電気的に接続されている。スイッチング素子Ｑ３０１のベースが抵抗Ｒ３３３の一端及び抵抗Ｒ３３４の一端と電気的に接続されている。抵抗Ｒ３３３の他端が第２ダイオードＤ２のカソードと電気的に接続されている。抵抗Ｒ３３４の他端が整流回路１１の第２出力端子１１４及びスイッチング素子Ｑ３０１のエミッタと電気的に接続されている。第２ダイオードＤ２が導通（オン）して抵抗Ｒ３３３及び抵抗Ｒ３３４に電流が流れると、スイッチング素子Ｑ３０１のベース・エミッタ電圧が上昇してスイッチング素子Ｑ３０１がオンする。スイッチング素子Ｑ３０１がオンすれば、オペアンプＵ１のプラス入力端子に入力する基準電圧Ｖｘがほぼゼロとなるので、トランジスタＱ１がオフして第１定電流回路１２１が停止する。一方、第２ダイオードＤ２が非導通（オフ）のときは、スイッチング素子Ｑ３０１のベース・エミッタ電圧が低下してスイッチング素子Ｑ３０１がオフする。
【００５６】
上述のように点灯装置１Ｙは、第１集積回路３０が異常な温度上昇によって停止したとき、あるいは、第１集積回路３０が故障したときに、第１定電流回路１２１を強制的に停止させる。そのため、点灯装置１Ｙは、第１定電流回路１２１が連続して動作することによる、不具合の発生を抑制することができる。
【００５７】
ここで、点灯装置１Ｙの回路構成を変形した変形例に係る点灯装置１Ｚ（以下、点灯装置１Ｚと略す）の回路構成を図９に示す。点灯装置１Ｚは、第１集積回路３０に加えて、第２集積回路３１を備えている点が点灯装置１Ｙと異なっている。
【００５８】
第２集積回路３１は、トランジスタＱ２１、Ｑ３１、トランジスタＱ２１、Ｑ３１を制御する制御部３１０、第１電流検知部３１１及び第２電流検知部３１２、制御電源部３１３、温度検知部３１４などを有している。すなわち、第２集積回路３１は、第１集積回路３０と同一の回路構成を有している。
【００５９】
第１電流検知部３１１は、トランジスタＱ２１に流れる電流Ｉ２２の電流値を検知する。トランジスタＱ２１と第１電流検知部３１１の直列回路は、第１集積回路３０のトランジスタＱ２と第１電流検知部３０１の直列回路と電気的に並列接続されている。また、第２電流検知部３１２は、トランジスタＱ３１に流れる電流Ｉ２３の電流値を検知する。トランジスタＱ３１と第２電流検知部３１２の直列回路は、第１集積回路３０のトランジスタＱ３と第２電流検知部３０２の直列回路と電気的に並列接続されている。制御部３１０は、第１電流検知部３１１が検知する電流値を目標値（例えば、所定の電流値Ｉst1）に一致させるようにトランジスタＱ２１のゲート・ソース電圧を制御する。また、制御部３１０は、第２電流検知部３１２が検知する電流値を目標値（例えば、所定の電流値Ｉst1）に一致させるようにトランジスタＱ３１のゲート・ソース電圧を制御する。温度検知部３１４は、第２集積回路３１の内部温度を検知する。制御電源部３１３は、整流回路１１の第１出力端子１１３及び第２出力端子１１４から取り込んだ脈流電圧Ｖ２を降圧し、かつ、定電圧化して制御電圧を生成する。制御電源部３１３が生成する制御電圧は、制御部３１０、第１電流検知部３１１、第２電流検知部３１２などに供給される。また、制御電源部３１３は、温度検知部３１４が検知する内部温度を第１しきい値と比較し、内部温度が第１しきい値を超えると、制御電圧の供給を停止する。したがって、制御電圧の供給が停止されることで制御部３１０が停止するので、トランジスタＱ２１、Ｑ３１のゲート・ソース電圧がゼロになり、トランジスタＱ２１、Ｑ３１がオフする。その結果、第２集積回路３１の内部温度の上昇が抑えられる。なお、制御電源部３１３は、温度検知部３１４が検知する内部温度が第１しきい値よりも低い第２しきい値を下回れば、制御電圧の供給を再開する。
【００６０】
点灯装置１Ｚは、第２固体光源部２２及び第３固体光源部２３に流す電流Ｉ２２、Ｉ２３を、２つの集積回路３０、３１で分担することにより、第１集積回路３０及び第２集積回路３１のそれぞれの温度上昇を抑えることができる。また、点灯装置１Ｚは、２つの集積回路３０、３１に電流を分担させることにより、１つの集積回路（第１集積回路３０）に電流を流させる回路構成に比べて、コスト上昇を抑えつつ高出力化を図ることができる。
【００６１】
（実施形態３）
以下、実施形態３に係る照明器具について詳細に説明する。
【００６２】
図１０Ａは本実施形態に係る照明器具５Ａの斜視図である。
【００６３】
この照明器具５Ａは、上述した点灯装置１Ｘ、１Ｙ、１Ｚのいずれか１つと、いずれか１つの点灯装置を収容する本体５０Ａとを備えている。
【００６４】
照明器具５Ａは、天井に埋込配設されるダウンライトとして構成される。照明器具５Ａは、第１固体光源部２１、第２固体光源部２２及び第３固体光源部２３と点灯装置とを収容する本体５０Ａと、反射板６１とを備えている。本体５０Ａは、複数枚の放熱フィン６２を上部に備えている。本体５０Ａからは電源ケーブル６３が導出されている。電源ケーブル６３は、本体５０Ａに収容された点灯装置と、交流電源４とを電気的に接続している。
【００６５】
また、照明器具は、ダウンライトとして構成された照明器具に限定されず、スポットライトとして構成された照明器具でもよいし、その他の形態に構成された照明器具でもよい。
【００６６】
図１０Ｂ及び図１０Ｃは、配線ダクト７に取り付けられるスポットライトとして構成された照明器具５Ｂ，５Ｃである。
【００６７】
図１０Ｂ及び図１０Ｃは、配線ダクト７に取り付けられるスポットライトとしてそれぞれ構成された照明器具５Ｂ（変形例１）、照明器具５Ｃ（変形例２）である。
【００６８】
変形例１の照明器具５Ｂは、図１０Ｂに示すように、本体５０Ｂと、反射板６４と、コネクタ部６５と、アーム部６６とを備える。本体５０Ｂは、第１固体光源部２１、第２固体光源部２２及び第３固体光源部２３と点灯装置とを収容する。コネクタ部６５は、配線ダクト７に装着される。アーム部６６は、コネクタ部６５と本体５０Ｂとを結合する。本体５０Ｂに収容された点灯装置とコネクタ部６５とは、電源ケーブル６７を介して接続されている。
【００６９】
また、変形例２の照明器具５Ｃは、図１０Ｃに示すように、本体５０Ｃと、ボックス６８と、連結部７０と、電源ケーブル７１とを備えている。本体５０Ｃは第１固体光源部２１、第２固体光源部２２及び第３固体光源部２３を収容する。ボックス６８は点灯装置を収容する。連結部７０は本体５０Ｃとボックス６８とを連結する。電源ケーブル７１は、本体５０Ｃに収容された第１固体光源部２１、第２固体光源部２２及び第３固体光源部２３と、ボックス６８に収容された点灯装置とを電気的に接続する。なお、ボックス６８の上面には、配線ダクト７と着脱可能な状態で電気的且つ機械的に接続されるコネクタ部６９が設けられる。
【００７０】
上述のように照明器具（照明器具５Ａ、照明器具５Ｂ及び照明器具５Ｃ）は、点灯装置（点灯装置１Ｘ、点灯装置１Ｙ又は点灯装置１Ｚ）と、点灯装置を保持する本体（本体５０Ａ、本体５０Ｂ又は本体５０Ｃ）とを備えている。
【００７１】
照明器具が上述のように構成されれば、点灯装置（点灯装置１Ｘ、点灯装置１Ｙ又は点灯装置１Ｚ）を備えるので、入力電流Ｉ１の高調波歪みを低減しつつ製造コストの上昇を抑えることができる。
【符号の説明】
【００７２】
１Ｘ、１Ｙ、１Ｚ  点灯装置
５Ａ、５Ｂ、５Ｃ  照明器具
１１  整流回路
１２  駆動回路
１３  分流回路
２１  第１固体光源部
２２  第２固体光源部
２３  第３固体光源部
５０Ａ、５０Ｂ、５０Ｃ  本体
１１３  第１出力端子
１１４  第２出力端子
Ｖ２  脈流電圧
Ｉ１  電流（出力電流）
Ｃ１  第１キャパシタ
Ｃ２  第２キャパシタ
Ｃ３  第３キャパシタ
【図１】
0006692062.tif 000002
【図２】
0006692062.tif 000003
【図３】
0006692062.tif 000004
【図４】
0006692062.tif 000005
【図５】
0006692062.tif 000006
【図６】
0006692062.tif 000007
【図７】
0006692062.tif 000008
【図８】
0006692062.tif 000009
【図９】
0006692062.tif 000010
【図１０】
0006692062.tif 000011